(57)【特許請求の範囲】
【請求項１】
プロジェクタを音声によって遠隔制御可能なマイクロホン付きコマンダと前記マイクロホン付きコマンダを着脱自在に保持するマイクロホン保持部とを有し、
前記マイクロホン付きコマンダは前記音声を入力する音声入力手段と、前記音声入力手段に入力された前記音声を音声データとして認識する音声認識手段と、前記音声を前記音声認識手段で音声認識させるかまたは音声認識させないかの設定をする操作手段と、前記操作手段の設定の結果を受けて、前記音声認識手段からの音声データに対応する動作制御信号を生成するとともに入力されたプレゼンテーション用データを処理して、出力すべき画像データや音声データを生成するコマンダ制御手段と、前記コマンダ制御手段で生成された前記動作制御信号および前記画像データ、前記音声データ、前記音声を前記プロジェクタに送信する信号送信手段とを有し、
前記マイクロホン保持部は前記プレゼンテーション用データを入力するプレゼンテーション用データ入力手段を有することを特徴とするプロジェクタの遠隔操作装置。
【請求項２】
プロジェクタを音声によって遠隔制御可能なマイクロホン付きコマンダと前記マイクロホン付きコマンダを着脱自在に保持するマイクロホン保持部とを有し、
前記マイクロホン保持部は少なくとも、プレゼンテーション用データの入力が可能なプレゼンテーション用データ入力手段を有し、
前記マイクロホン付きコマンダは、前記音声を入力する音声入力手段と、前記音声入力手段に入力された前記音声を音声データとして認識する音声認識手段と、前記音声を前記音声認識手段で音声認識させるかまたは音声認識させないかの設定をする操作手段と、前記操作手段の設定の結果を受けて、前記音声認識手段からの音声データに対応する動作制御信号を生成するとともに前記入力されたプレゼンテーション用データを処理して、出力すべき画像データや音声データを生成するコマンダ制御手段と、前記コマンダ制御手段で生成された前記動作制御信号および画像データ、音声データ、前記音声を前記プロジェクタに送信する信号送信手段の各構成要素のうち、少なくとも、前記音声入力手段と前記操作手段を有し、それ以外の前記各構成要素は前記マイクロホン保持部側に有することを特徴とするプロジェクタの遠隔操作装置。
【請求項３】
前記プレゼンテーション用データ入力手段は、前記プレゼンテーション用データが記憶された記憶媒体を前記プロジェクタの遠隔操作装置に装着可能とするスロット部と、前記マイクロホン付きコマンダをネットワークに接続可能とするネットワーク接続部との少なくともいずれか一方を有することを特徴とする請求項１または２記載のプロジェクタの遠隔操作装置。
【請求項４】
前記プロジェクタの遠隔操作装置は、前記プレゼンテーション用データ入力手段に入力された前記プレゼンテーション用データを記憶する記憶手段を有することを特徴とする請求項１から３のいずれかに記載のプロジェクタの遠隔操作装置。
【請求項５】
前記プロジェクタの遠隔操作装置から前記プロジェクタに対して出力される動作制御信号は、表示する画面の順方向及び前記順方向とは逆の逆方向の送りを制御する信号、画面を選択するための信号、前記画面に一覧表示を行わせるための信号、前記プレゼンテーション用データが複数のファイルに分かれて存在する場合は、それぞれのファイルの切り替えや選択を行わせるための信号の少なくとも１つを含むことを特徴とする請求項１から４のいずれかに記載のプロジェクタの遠隔操作装置。
【発明の詳細な説明】
【０００１】
【発明の属する技術分野】
本発明はプロジェクタの操作を効率よく行えるようにしたプロジェクタの遠隔操作装置に関する。
【０００２】
【従来の技術】
近年、学会や会議などのプレゼンテーションの場では、パーソナルコンピュータ（以下ではＰＣという）に接続されたプロジェクタが盛んに利用されてきている。
【０００３】
このプロジェクタはＰＣ上の画像をスクリーン上に投影させることができ、多人数を相手にプレゼンテーションを行う場合に極めて好都合なものであり、今後、より一層の普及が期待される。
【０００４】
【発明が解決しようとする課題】
このようなプロジェクタは、投影された画面の切り替えなどプロジェクタに対する様々な動作制御は、ＰＣ本体に接続されたマウスやキーボードなどを操作することによって行うのが一般的である。
【０００５】
したがって、プレゼンテーション会場ではプレゼンタが自らＰＣのそばでマウス操作などを行いながらプレゼンテーションを進めるか、あるいは、別な人にその操作を依頼して、会議の進行に合わせてＰＣ操作を行ってもらうなどといった方法がとられれている。
【０００６】
しかしながら、前者の方法は、プレゼンタはスクリーンと聴衆を交互に見ながら、繁雑なＰＣ操作を行わなければならないので、プレゼンテーションに集中することができないという問題がある。
【０００７】
また、会場の規模などによっては、プロジェクタおよびＰＣの設置位置とプレゼンタの立つ位置との距離が遠くにならざるを得ない場合もあり、手元でＰＣの操作が行えないという状況もあり得る。このような場合は、結局は別な人にＰＣ操作を依頼することになるが、別な人にＰＣ操作を依頼すると、プレゼンタ以外の人員の確保が必要となる他、プレゼンタと操作者との間で操作手順など細かい打ち合わせを入念に行う必要があるとともに、実演中において、プレゼンタと操作者の意気が合わないと、円滑な進行ができず満足なプレゼンテーションが行えないと言う問題もある。
【０００８】
このような問題点に対処するために、最近では、ワイヤレスリモコンでマウス操作などを行えるようにしたものも提案されているが、遠隔でマウスを操作するのは使い勝手が悪く、マウス操作に気をとられるなどして、プレゼンテーションに集中できないといった問題もある。
【０００９】
また、ワイヤレスリモコンにＰＣの操作を始めとするプレゼンテーションに必要な機能の殆どを遠隔で操作可能な操作パネル部などを設けて、そのワイヤレスリモコン上のボタン操作でプロジェクタを動作制御する機能を実現しようするものも提案されている。
【００１０】
しかし、この種のワイヤレスリモコンは、ワイヤレスリモコン上での操作内容が多種存在する場合は、それぞれに対応した多数の操作ボタンが存在することになり、プレゼンテーション中に急いで何らかの操作を行おうとしたとき、どの操作ボタンを押したらよいかを迷ったり、操作ボタンの押し間違いも多く、ボタン操作に気を取られるなどして、円滑なプレゼンテーションが行えないと言う問題がある。
【００１１】
また、たとえば、プレゼンテーションが終了して、聴衆から質問を受けるような場合、ある特定の画面をとっさに表示させる必要が多々ある。このような場合、まず、一覧表示の操作ボタンを押して、次にその中から必要な画面を選択するための操作ボタンを押すなど、ある１つの機能を行わせるために、複数のボタンを順序だてて操作しなければならないなど、繁雑なボタン操作を行わざるをえない場合もある。
【００１２】
そこで本発明は、音声認識機能用いて画面切替などプレゼンテーションに必要な機能を行わせることによって、会議の進行に適切に合わせた遠隔操作を可能とし、円滑なプレゼンテーションを実現可能なプロジェクタの遠隔操作装置を提供することを目的とする。
【００１３】
上述した目的を達成するために、本発明のマイクロホン付きコマンダは、プロジェクタを音声によって遠隔制御可能なマイクロホン付きコマンダであって、音声(プレゼンテーションに用いることが出来る音声であり、プレゼンターに限らない)を入力する音声入力手段と、前記音声入力手段に入力された前記音声を音声データとして認識する音声認識手段と、前記音声を前記音声認識手段で音声認識させるかまたは音声認識させないかの設定をする操作手段と、プレゼンテーション用データの入力が可能なプレゼンテーション用データ入力手段と、前記操作手段の設定の結果を受けて、前記音声認識手段からの音声データに対応する動作制御信号を生成するとともに前記入力されたプレゼンテーション用データを処理して、出力すべき画像データや音声データを生成するコマンダ制御手段と、前記コマンダ制御手段で生成された前記動作制御信号および前記画像データ、前記音声データ、前記音声を前記プロジェクタに送信する信号送信手段とを有した構成としている。
【００１４】
このようなマイクロホン付きコマンダにおいて、前記プレゼンテーション用データ入力手段として、プレゼンテーション用データが記憶された記憶媒体を前記マイクロホン付きコマンダに装着可能とするスロット部と、前記マイクロホン付きコマンダをネットワークに接続可能とするネットワーク接続部の少なくとも一方を有するようにしている。
【００１５】
また、前記マイクロホン付きコマンダは、プレゼンテーション用データ入力手段に入力されたプレゼンテーション用データを記憶する記憶手段を有している。
【００１６】
また、前記マイクロホン付きコマンダから前記プロジェクタに対して出力される動作制御信号は、表示する画面の順方向及び前記順方向とは逆の逆方向の送りを制御する信号、画面を選択するための信号、前記画面に一覧表示を行わせるための信号、前記プレゼンテーション用データが複数のファイルに分かれて存在する場合は、それぞれのファイルの切り替えや選択を行わせるための信号の少なくとも１つを含んでいる。
【００１７】
また本発明のプロジェクタの遠隔装置は、プロジェクタを音声によって遠隔制御可能なマイクロホン付きコマンダと前記マイクロホン付きコマンダを着脱自在に保持するマイクロホン保持部とを有し、
前記マイクロホン付きコマンダは前記音声を入力する音声入力手段と、前記音声入力手段に入力された前記音声を音声データとして認識する音声認識手段と、前記音声を前記音声認識手段で音声認識させるかまたは音声認識させないかの設定をする操作手段と、前記操作手段の設定の結果を受けて、前記音声認識手段からの音声データに対応する動作制御信号を生成するとともに入力されたプレゼンテーション用データを処理して、出力すべき画像データや音声データを生成するコマンダ制御手段と、前記コマンダ制御手段で生成された前記動作制御信号および前記画像データ、前記音声データ、前記音声を前記プロジェクタに送信する信号送信手段とを有し、
前記マイクロホン保持部は前記プレゼンテーション用データを入力するプレゼンテーション用データ入力手段を有した構成としている。
【００１８】
また本発明のプロジェクタの遠隔装置は、プロジェクタを音声によって遠隔制御可能なマイクロホン付きコマンダと前記マイクロホン付きコマンダを着脱自在に保持するマイクロホン保持部とを有し、
前記マイクロホン付きコマンダは、前記音声を入力する音声入力手段と、前記音声入力手段に入力された前記音声を音声データとして認識する音声認識手段と、前記音声を前記音声認識手段で音声認識させるかまたは音声認識させないかの設定をする操作手段と、プレゼンテーション用データの入力が可能なプレゼンテーション用データ入力手段と、前記操作手段の設定の結果を受けて、前記音声認識手段からの音声データに対応する動作制御信号を生成するとともに前記入力されたプレゼンテーション用データを処理して、出力すべき画像データや音声データを生成するコマンダ制御手段と、前記コマンダ制御手段で生成された前記動作制御信号および画像データ、音声データ、前記音声を前記プロジェクタに送信する信号送信手段の各構成要素のうち、少なくとも、前記音声入力手段と前記操作手段を有し、それ以外の前記各構成要素は前記マイクロホン保持部側に有した構成としている。
このようなプロジェクタの遠隔装置において、前記プレゼンテーション用データ入力手段として、プレゼンテーション用データが記憶された記憶媒体を前記マイクロホン付きコマンダに装着可能とするスロット部と、前記マイクロホン付きコマンダをネットワークに接続可能とするネットワーク接続部の少なくとも一方を有するようにしている。
また、前記プロジェクタの遠隔装置は、プレゼンテーション用データ入力手段に入力されたプレゼンテーション用データを記憶する記憶手段を有している。
また、前記プロジェクタの遠隔装置から前記プロジェクタに対して出力される動作制御信号は、表示する画面の順方向及び逆方向の送りを制御する信号、任意の画面を選択するための信号、一覧表示を行わせるための信号、プレゼンテーション用データが複数のファイルに分かれて存在する場合は、それぞれのファイルの切り替えや選択を行わせるための信号の少なくとも１つを含んでいる。
【００１９】
このように本発明では、プレゼンテーション用データをマイク付きコマンダ側で読み込んで、そのプレゼンテーション用データから投影すべき画像データや音声データをそのマイク付きコマンダ側で生成して、生成された画像データや音声データをプロジェクタに出力するようにしているので、従来のように、プロジェクタをＰＣに接続してＰＣ上で画像データや音声データを生成する操作を行う必要がなくなる。また、プロジェクタに対する画面切替など様々な操作を、音声コマンドによる遠隔操作を可能としているので、円滑なプレゼンテーションが行える。また、プレゼンテーション用データを取得して、そのプレゼンテーション用データから投影すべき画像データや音声データをマイク付きコマンダ側で生成するようにしているので、プロジェクタ側には新たな処理機能を持たせる必要が無いので、従来からのプロジェクタを殆どそのまま使用することができる。
【００２０】
また、従来のようなワイヤレスリモコンのボタン操作によるコマンドでは、前述したように、操作ボタンがたくさんあると、どのボタンを押したらよいかを迷ったり、ボタンの押し間違いも多く、ボタン操作に気を取られるなどして、円滑なプレゼンテーションが行えないと言う問題があるが、本発明では、音声でそれらの操作が可能となるので、効率よい操作が行える。
【００２１】
これによって、たとえば、プレゼンテーションが終了して聴衆からの質問を受けるような場合、ある特定の画面を直ちに表示させる必要のある場合でも、音声によって画面の指定ができるので、ある１つの機能を行わせるために、複数のボタンを順序だてて操作するといた煩わしい操作を行う必要がなくなる。
【００２２】
また、前記プロジェクタ側でプレゼンテーション用データを取得するには、プレゼンテーション用データの記録された記録媒体を、マイク付きコマンダに設けられたスロット部に装着したり、あるいは、マイク付きコマンダをネットワークに続し、ネットワークから取得したりするだけで、プレゼンテーションに必要なプレゼンテーション用データの取得が可能となる。
【００２３】
さらに、マイク付きコマンダ側にプレゼンテーション用データを記憶する記憶手段を有することによって、取得したデータを保存しておくことができ、同じプレゼンテーション用データを用いたプレゼンテーションを繰り返し行うような場合には、その都度、そのプレゼンテーション用データを読み込ませる操作を行う必要がなくなり、きわめて使い勝手のよいプレゼンテーションシステムとすることができる。
【００２４】
また、音声コマンドによって可能となるプロジェクタの動作制御内容としては、表示する画面の順方向及び逆方向の送り機能、任意の画面の選択機能、一覧表示、プレゼンテーション用データが複数のファイルに分かれて存在する場合は、それぞれのファイルの切り替えや選択する機能などが考えられ、これらの動作制御を音声によって遠隔で行えることにより、繁雑なボタン操作などが不要となり、効率のよい円滑なプレゼンテーションが可能となる。
【００２５】
また、マイクロホン付きコマンダを着脱自在に保持するマイクロホン保持部を設け、このマイクロホン保持台に前記プレゼンテーション用データ入力手段を設けるようにすることもできる。
【００２６】
このように、マイクロホン保持部にプレゼンテーション用データ入力手段を設けることにより、プレゼンテーション用データを記憶した記憶媒体を差し込むためのスロット部を大きくすることができるので、メモリカードなど小型の記憶媒体だけでなく、フロッピィディスクやコンパクトディスクなどマイク付きコマンダ２側には装着しにくい形状や大きさを有する記憶媒体用のスロット部なども設けることができ、これらフロッピィディスクやコンパクトディスクなどを記憶媒体として使用できるので、より汎用性に優れたものとなる。
【００２７】
また、マイクロホン付きコマンダを着脱自在に保持するマイクロホン保持部側に、前記コマンダ制御手段、音声認識手段、プレゼンテーション用データ入力手段など主な構成要素の殆どを設けることも可能であり、これによれば、マイク付きコマンダを小型・軽量化することができ、使い勝手より優れたものとすることができる。
【００２８】
【発明の実施の形態】
以下、本発明の実施の形態を第１の実施の形態と第２の実施の形態の２つに分けて説明する。
【００２９】
〔第１の実施の形態〕
図１は本発明のプロジェクタの遠隔操作装置を用いたプレゼンテーションシステムの概略的な構成図であり、その構成を大きく分けると、プロジェクタ１と本発明のプロジェクタの遠隔操作装置としてのマイクロホン付きコマンダ（以下ではマイク付きコマンダという）２から構成されている。
【００３０】
プロジェクタ１は従来のプロジェクタが通常有するプロジェクタとしての機能を有するとともに、本発明では、マイク付きコマンダ２からの音声データや制御信号を受信する信号受信機能を有している。
【００３１】
一方、マイク付きコマンダ２は、プロジェクタ１に対して有線または無線でプロジェクタ１を制御するための様々なコマンド（のちに説明する）を送信することができるものである。ただし、この実施の形態では、無線（ワイヤレス）によって音声やコマンドを送信する場合について説明する。
【００３２】
このマイク付きコマンダ２は、さらに、プレゼンタの発話音声を認識できる音声認識機能を有するとともに、従来ではＰＣ側で行っていた機能として、プレゼンテーション用データを取得してそれを保持する機能、そのプレゼンテーション用データを処理して、それを画像（文字も含む）として投影したり音声として出力する機能を有している。
【００３３】
なお、この場合、プレゼンテーション用データは、たとえば、メモリカードなどの記録媒体３に記憶されているデータであってもよく、また、ネットワーク上に存在するデータであってもよい。
【００３４】
そして、それらのプレゼンテーション用データを入力するためのプレゼンテーション用データ入力手段と入力されたデータを保持するための記憶手段を有する。すなわち、プレゼンテーション用データが記憶されたメモリカードなどの記憶媒体３の差し込みが可能なスロット部１ａをプレゼンテーション用データ入力手段として設け、そのスロット部１ａに記憶媒体３が差し込まれることによって、その記憶媒体３に記憶されたプレゼンテーション用データを読み込んでそれを保持することができるようになっている。
【００３５】
また、ネットワークからもデータを取得できるようにするために、ネットワーク接続部２ｂをプレゼンテーション用データ入力手段として設け、このネットワーク接続部２ｂをネットワークに接続することによって、必要なプレゼンテーション用データを読み込んでそれを保持することができるようになっている。
【００３６】
図２はこの第１の実施の形態におけるプロジェクタ１とマイク付きコマンダ２の構成を説明するブロック図である。この図２によりこれらプロジェクタ１とマイク付きコマンダ２について詳細に説明する。
【００３７】
プロジェクタ１には、プロジェクタ機能動作部１１、各種の設定や操作を可能とする設定・操作部１２、信号受信部１３、プロジェクタ制御部１６、Ｄ／Ａ変換器１７、スピーカ１８などが設けられており、これらの構成要素は、従来からのプロジェクタにはごく普通に備えられているものである。
【００３８】
プロジェクタ機能動作部１１は、プロジェクタにもともと備わっている機能（画像を投影したり画面切替を行ったりする機能など）を行うもので、プロジェクタ制御部１６からの画像データを受けてその画像を投影するとともに、プロジェクタ制御部１６からの動作制御信号（スライド画面の順送りや逆送り、画像選択、一覧表示などの制御信号）を受けてそれに対応する動作を行う。
【００３９】
信号受信部１３は、マイク付きコマンダ２から送信されてくる音声データや制御信号を受信するもので、受信した音声データや制御信号をプロジェクタ制御部１６に渡す。
【００４０】
なお、マイク付きコマンダ２から送信されてくる音声データは、この場合、プレゼンタが聴衆に対して説明などを行うための音声データまたはプレゼンテーション用データに音声データが含まれる場合はその音声データである。また、マイク付きコマンダ２から送信されてくる制御信号は、この場合、プレゼンタが現在発話しているコマンド（音声コマンド）に対応する動作制御信号（これについては後述する）が含まれる。
【００４１】
プロジェクタ制御部１６は、このプロジェクタ１全体の構成要素を制御する機能を有し、この発明で関係する機能としては、マイク付きコマンダ２から送られてくる音声データをＤ／Ａ変換器１７に出力する機能や、マイク付きコマンダ２から送られてくる投影すべき画像データや動作制御信号をプロジェクタ機能動作部１１に渡す機能を有する。
【００４２】
Ｄ／Ａ変換器１７は、ディジタル化されている音声データをアナログ信号に変換するもので、ここでは、マイク付きコマンダ２から送られてくるディジタル化された音声データ（聴取に説明するための音声データ）や、プレゼンテーション用データに含まれるディジタル化された音声データ（この実施の形態では、これらの音声データはプロジェクタ制御部１６を通過してくるようになっている）をＤ／Ａ変換してスピーカ１８から出力する。
【００４３】
一方、マイク付きコマンダ２は、ごく一般的なマイクロホンとして機能としての音声データ出力機能を有することは勿論、プレゼンテーション用データを取得してそれを保持する機能、さらに、プロジェクタ１に対する動作制御信号や投影すべき画像データや出力すべき音声データを生成する機能を有するもので、マイクロホン２１、マイクロホンからの音声データをディジタル信号に変換するＡ／Ｄ変換器２２、コマンダ制御部２３、コマンダ操作部２４、信号送信部２５、特徴分析部２６、音声認識部２７、プレゼンテーション用データ入力部２８、プレゼンテーション用データ記憶部２９などを有している。
【００４４】
プレゼンテーション用データ入力部２８は、この場合、メモリカードなどの記憶媒体３の装着が可能なスロット部１ａやネットワーク接続部２ｂ（図１参照）を有している。
【００４５】
このプレゼンテーション用データ入力部２８のスロット部１ａにメモリカードなどの記憶媒体３が差し込まれることによって、コマンダ制御部２３の制御により、その記憶媒体３に記憶されたプレゼンテーション用データをプレゼンテーション用データ記憶部２９に読み込ませることができるようになっている。また、ネットワーク接続部２ｂをネットワークに接続することによって、コマンダ制御部２３の制御により、ネットワーク上に存在するプレゼンテーション用データをプレゼンテーション用データ記憶部２９に読み込ませることができるようになっている。
【００４６】
コマンダ制御部２３は、このマイク付きコマンダ２全体の構成要素の制御を行うとともに、上述したようなプレゼンテーション用データ記憶部２９にプレゼンテーション用データを読み込ませる機能、さらに、プレゼンテーション用データ記憶部２９に読み込まれたプレゼンテーション用データを取得して、そのプレゼンテーション用データに含まれる投影すべき画像データや出力すべき音声データ（ディジタル化された音声データ）を生成する機能を有するソフトウエアを有している。このプロジェクタ制御部２３で生成された画像データや音声データは信号送信部２５によってプロジェクタ１側に送信される。
【００４７】
なお、プレゼンテーション用データから画像データや音声データを生成する機能を実行するソフトウエアは、従来ではＰＣが持っていて、ＰＣ側で画像信号や音声データを生成してそれをプロジェクタ１に渡していたが、本発明ではこれらの機能をすべてマイク付きコマンダ２側で行うようにしている。
【００４８】
特徴分析部２６は、マイクロホン２１から入力されたプレゼンタの音声コマンドに対する音声データ（Ａ／Ｄ変換器２２でＡ／Ｄ変換された音声データ）をコマンダ制御部２３を介して受け取って、音声認識部２７で音声認識に用いられる特徴データを生成するもので、その特徴分析結果を音声認識部２７に渡す。
【００４９】
音声認識部２７はコマンダ制御部２３からの制御信号によって音声認識を行うものでその認識結果はコマンダ制御部２３に渡される。
【００５０】
なお、プレゼンテーション用データ記憶部２９は、前述したように、メモリカードなどの記憶媒体３に記憶されているプレゼンテーション用データや、ネットワークから取得したプレゼンテーション用データを記憶するものであるが、メモリカードなどの場合は、この実施の形態のように、それらに記憶されたプレゼンテーション用データをプレゼンテーション用データ記憶部２９に一旦読み込ませるようにしてもよいが、メモリカードなどの記憶媒体３からコマンダ制御部２３が直接読み込むようにすることも可能である。
【００５１】
コマンダ操作部２４は、モード切替ボタン２４ａを有し、このモード切替ボタン２４ａの操作によって、プレゼンタの発話音声をそのまま出力させるのか、または、音声認識させるのかを設定することができるようになっている。
【００５２】
たとえば、プレゼンタが聴衆に対して投影内容の説明を行ったりする場合は、コマンダ操作部２４に設けられたモード切替ボタン２４ａを押さずにプレゼンタが発話を行い、プレゼンタがプロジェクタ１に対して動作制御を行わせるための音声コマンドを発する場合は、そのモード切替ボタン２４ａを押しながら発話を行う。
【００５３】
このモード切替ボタン２４ａの操作状態はコマンダ制御部２３が監視し、現在、どのような設定となっているかを判断する。つまり、モード切替ボタン２４ａが押されているか否かを示す制御信号がコマンダ制御部２３に送られることで、コマンダ制御部２３はモード切替ボタン２４ａの操作状態を知ることができる。
【００５４】
これによって、たとえば、モード切替ボタン２４ａを操作せずに発話すれば、コマンダ制御部２３は、モード切替ボタン２４ａが操作されていないと判断して、現在の発話音声は音声コマンドではない（音声認識すべき音声データではない）と判断し、それによって、その音声データは信号送信部２５からプロジェクタ１側に出力される。
【００５５】
この音声データはプロジェクタ１側の信号受信部１３で受信されたのち、プロジェクタ制御部１６に送られたのち、Ｄ／Ａ変換器１７でアナログ信号に変換されてスピーカ１８から音声として出力される。
【００５６】
また、プレゼンタがモード切替ボタン２４ａを操作した状態で発話すれば、コマンダ制御部２３は、モード切替ボタン２４ａが押されていることを示す制御信号を受け取ることで、プレゼンタの発話音声が音声コマンドであると判断し、音声認識処理を行うべく音声認識部２７に通知する。それによって、プレゼンタの発話した音声は特徴分析部１９に送られて特徴分析がなされたのちに、音声認識部２７で音声認識処理される。そして、その認識結果はコマンダ制御部２３に渡される。
【００５７】
このように、プレゼンタがモード切替ボタン２４ａを押さずに発話を行った場合は、マイク付きコマンダ２は、通常のマイクロホンとしての役目を行い、また、プレゼンタがモード切替ボタン２４ａを押しながら発話を行った場合は、マイク付きコマンダ２は、プレゼンタがプロジェクタ１に対して動作制御を行うための音声コマンドを音声認識する処理を行う。
【００５８】
このような構成において、本発明のプロジェクタの遠隔操作装置を用いたプレゼンテーションシステムの具体的な使用例やそのときのプロジェクタの動作などについて説明する。まず、プレゼンタがプレゼンテーションを行う場合、そのプレゼンテーションに使用するプレゼンテーション用データの記憶されたメモリカードなどの記憶媒体３をマイク付きコマンダ２のスロット部１ａ（図１参照）に差し込む。そして、このスロット部１ａに差し込まれた記憶媒体３に記憶されているプレゼンテーション用データをマイク付きコマンダ２の記憶手段（プレゼンテーション用データ記憶部２９）に読み込ませておく。なお、プレゼンテーション用データはネットワーク上から取得することもできる。
【００５９】
このようにして、プレゼンテーションを行うべく準備がなされると、プロジェクタ１をプレゼンテーション会場に設置する。そして、プレゼンタはマイク付きコマンダ２を持って、演壇に立ち、プレゼンテーションを開始する。このとき、プロジェクタ１はマイク付きコマンダ２からの信号を良好に受信できる位置であれば、投影面に投影しやすい任意の場所に設置することができ、プレゼンタの近くに設置する必要は特にない。
【００６０】
プロジェクタ１のプロジェクタ制御部１６は、マイク付きコマンダ２から送られてくるプレゼンテーション用データ（投影すべき画像データや出力すべき音声データ）をプロジェクタ機能動作部１１やＡ／Ｄ変換器１７に出力する。
【００６１】
すなわち、画像データはプロジェクタ機能動作部１１に与えられて投影面に画像として投影される。また、音声データはＤ／Ａ変換器１７に出力され、アナログ信号に変換されたのちにスピーカ１８から出力される。
【００６２】
一方、マイク付きコマンダ２は、プロジェクタ１に対してこの実施の形態ではワイヤレスで、画面切替や画面選択など各種の動作制御を行うことができるとともに、聴衆に対して投影画像の説明を行うための音声データを送信できるようになっている。
【００６３】
このとき、聴衆に対する投影画像の説明などを行う場合には、モード切替ボタン２４ａを押さずに、マイク付きコマンダ２に向かって発話すれば、その音声データは音声認識されずに、そのまま、信号送信部２５からプロジェクタ１の信号受信部１３に送信されたのち、プロジェクタ制御部１６によって、Ｄ／Ａ変換器１７に出力され、Ｄ／Ａ変換器１７でアナログ信号に変換されたのちにスピーカ１８から出力される。
【００６４】
また、プレゼンタがプロジェクタ１に対して音声コマンドを送る場合には、マイク付きコマンダ２のモード切替ボタン２４ａを押しながら発話する。
【００６５】
たとえば、画面の切り替えのための音声コマンドとして、「次の画面」といった発話を行ったとする。このとき、コマンダ制御部２３は、モード切替ボタン２４ａが押されていることを示す制御信号を受け取るので、現在は音声コマンドが発話される状態であって、その音声コマンドを認識してその認識結果に対応する動作を行う状態、つまり、音声認識モードであることを理解する。
【００６６】
したがって、プレゼンタの発話した「次の画面」の音声データは、特徴分析部２６に入力されて、特徴分析されて、その特徴データが音声認識部２７に渡され、プレゼンタの発話内容が認識され、その認識結果はコマンダ制御部２３に渡される。
【００６７】
コマンダ制御部２３では、その認識結果に対応する動作制御信号を生成し、その動作制御信号は信号送信部２５からプロジェクタ１の信号送信部１３を介してプロジェクタ制御部１６に送られる。
【００６８】
プロジェクタ制御部１６ではマイク付きコマンダ２から送られてきた音声認識結果に基づく動作制御信号をプロジェクタ機能動作部１１に渡す。この場合、認識結果は「次の画面」であるので、投影すべき画面を次の画面に切り替えるべく動作制御信号がプロジェクタ機能動作部１１に渡される。これによって、プロジェクタ機能動作部１１は、投影すべき画面を次の画面に切り替えるべく動作を行う。
【００６９】
なお、音声コマンドの種類は様々設定することができる。たとえば、画面を進める場合には、上述したように、「次の画面」の他、単に「次」でもよい。また、画面を前に戻す場合は、「前」あるいは「前の画面」とする。さらに、画面を飛ばして、ある特定の画面を指定する場合は、たとえば、「何番目」というように画面の番号を指定することもでき、また、全体を１つの画面に表示させる「一覧表示」といった音声コマンドも使えるようにする。
【００７０】
さらに、画面の切り替えだけでなく、音声のボリュームの設定や、プレゼンテーション用データ記憶部に用意されているプレゼンテーション用データが幾つかのファイルで構成されている場合には、そのファイルの指定なども行えるようにするなど、様々な音声コマンドの設定が行える。
【００７１】
なお、このような様々な音声コマンドに対応できるようにするには、コマンダ制御部２３では、音声認識部２７での認識結果に対応した動作制御信号を生成する必要があるため、どのような認識結果のときはどのような動作制御信号を出すかを予め設定しておけばよい。
【００７２】
たとえば、「次の画面」あるいは「次」という認識結果に対しては、投影すべき画面を次に切り替える制御を行わせるための動作制御信号を生成し、「前の画面」あるいは「前」という認識結果に対しては、投影すべき画面を前に戻す制御を行わせるための動作制御信号を生成するというように予め設定しておく。
【００７３】
また、プレゼンテーション用データ記憶部２９に記憶されているそれぞれの画面に対応するデータ（画面データという）の中から、ある特定の画面データを読み出して投影させたい場合、その画面データが何番目の画面データであるが直ちにわからなくても、その画面データに表題が有れば、その表題を音声コマンドとして与えたり、その画面データ内容の特徴を音声コマンドとして与えることにより、それに該当する画面データを検索して、それを読み出して投影させることができるような機能をコマンダ制御部２３に持たせることもできる。
【００７４】
以上説明したように、この第１の実施の形態によれば、プレゼンテーション用データをマイク付きコマンダ２側で読み込んで、それをプレゼンテーション用データ記憶部２９に記憶させておき、記憶されているプレゼンテーション用データから、投影すべき画像データや出力すべき音声データを生成して出力できるようにしているので、従来のように、プロジェクタ１をＰＣに接続してＰＣ上において、投影すべき画像データや出力すべき音声データを生成する処理を行う必要がなくなる。
【００７５】
また、プロジェクタ１に対する画面切替など、様々な動作制御を音声コマンドによって可能とするので、プレゼンタはプロジェクタ１の遠隔操作が容易となり、円滑なプレゼンテーションが行える。すなわち、従来のように、ワイヤレスリモコンのボタン操作によるコマンドでは、前述したように、操作ボタンがたくさんあると、どのボタンを押したらよいかを迷ったり、ボタンの押し間違いも多く、ボタン操作に気を取られるなどして、円滑なプレゼンテーションが行えないと言う問題があるが、本発明では、音声でそれらの操作が可能となるので、効率よい操作が行える。
【００７６】
これによって、たとえば、プレゼンテーションが終了して聴衆からの質問を受けるような場合、ある特定の画面を直ちに表示させる必要がある場合でも、音声によって画面の指定ができるので、ある１つの機能を行わせるために、複数のボタンを順序だてて操作するといた煩わしい操作を行う必要がなくなる。
【００７７】
また、プレゼンテーション用データ記憶部２９に記憶されているたくさんの画面データの中から、ある特定の画面データを読み出して投影させたい場合、その画面データが何番目かが直ちにわからなくても、前述したように、その画面データの表題やその画面データ内容の特徴などを音声コマンドとして与えるだけで、それに該当する画像を検索して投影させるといったことも可能であるので、後から必要な画面データを読み出して投影するような場合はきわめて便利なものとなる。
【００７８】
また、プレゼンテーション用データ入力部２８、入力されたプレゼンテーション用データを保持するプレゼンテーション用データ記憶部２９、この記憶部２９に記憶されているプレゼンテーション用データから、投影すべき画像データや出力すべき音声データを生成して出力できる機能を有するソフトウエアは、マイク付きコマンダ２側に設けるようにしているので、プロジェクタ１は従来のプロジェクタを殆どそのまま使用することができることも大きな特徴の１つである。
【００７９】
〔第２の実施の形態〕
図３は本発明の第２の実施の形態を説明する図であり、この図３の構成は、本発明のプロジェクタの遠隔操作装置の構成要素として、マイク付きコマンダ２の他に、このマイク付きコマンダ２を着脱自在に保持するマイクロホン保持台（以下ではマイクスタンドという）４を設け、このマイクスタンド４に、プレゼンテーション用データ入力部２８のスロット部４ａやネットワーク接続部４ｂを設けるようにしたものである。
【００８０】
そして、マイク付きコマンダ２とマイクスタンド４のそれぞれに両者を電気的に接続可能となるようなコネクタなどの接続用端子（マイク付きコマンダ２側の接続端子２ｔとマイクロホンスタンド４側の接続端子４ｔ）を設け、マイク付きコマンダ２をマイクロホンスタンド４に保持させるとき、両者の接続端子２ｔ，４ｔを接続させることにより、スロット部４ａに差し込まれた記憶媒体３上のプレゼンテーション用データや、ネットワーク接続部４ｂに接続されたネットワークからのプレゼンテーション用データを、マイク付きコマンダ２側のプレゼンテーション用データ記憶部２９に取り込むことができる。
【００８１】
図４はこのような構成をブロック図で示すものである。この図４からもわかるように、マイクスタンド４には、プレゼンテーション用データ入力部４１が設けられるとともに、接続端子４ｔが設けられている。
【００８２】
また、マイク付きコマンダ２には、マイクロホン２１、Ａ／Ｄ変換器２２、コマンダ制御部２３、コマンダ操作部２４（モード切替ボタン２４ａも含む）、信号送信部２５、特徴分析部２６、音声認識部２７、プレゼンテーション用データ記憶部２９、接続端子２ｔが設けられる。
【００８３】
なお、プロジェクタ１はその構成や機能は前述の第１の実施の形態で説明したと同様であるので、その説明は省略する。
【００８４】
このように、第２の実施の形態では、プレゼンテーション用データ入力部４１をマイクスタンド４側に設けている。これによって、記憶媒体３を差し込むためのスロット部４ａを大きくすることができるので、メモリカードなど小型の記憶媒体だけでなく、フロッピィディスクやコンパクトディスク（ＣＤという）などマイク付きコマンダ２側には装着しにくい形状や大きさを持つ記憶媒体用のスロット部なども設けることができ、これらフロッピィディスクやＣＤなど多様な記憶媒体を用いることができることから、より汎用性に優れたものとなる。
【００８５】
このような構成とすることによって、プレゼンテーション用データをマイク付きコマンダ２側に取り込むときは、マイク付きコマンダ２をマイクスタンド４に保持し（このとき、両者の接続端子２ｔ，４ｔを接続した状態で保持させる）、マイクスタンド４のスロット部４ａにメモリカード、フロッピィディスク、ＣＤなどいずれかの記憶媒体３をそれぞれ対応するスロット部に差し込んで、その記憶媒体３上のプレゼンテーション用データを、マイク付きコマンダ２側のプレゼンテーション用データ記憶部２９に読み込ませたり、ネットワーク接続部４ｂをネットワークに接続してネットワーク上のプレゼンテーション用データを、マイク付きコマンダ２側のプレゼンテーション用データ記憶部２９に読み込ませたりする。
【００８６】
このようにして、マイク付きコマンダ２側のプレゼンテーション用データ記憶部２９にプレゼンテーション用データを読み込ませれば、あとは、このマイク付きコマンダ２を前述の第１の実施の形態と同様に用いることができる。
【００８７】
また、マイクスタンド４には、プレゼンテーション用データ入力部２８だけでなく、図１で示したマイク付きコマンダ２が有する主な構成要素を設けることも可能である。
【００８８】
たとえば、図５に示すように、マイク付きコマンダ２側には、マイクロホン２１とコマンダ操作部２４（モード切替ボタン２４ａも含む）、接続端子２ｔのみを設け、それ以外の構成要素、すなわち、Ａ／Ｄ変換器２２、コマンダ制御部２３、信号送信部２５、特徴分析部２６、音声認識部２７、プレゼンテーション用データ入力部２８、プレゼンテーション用データ記憶部２９はマイクスタンド４側に設ける。
【００８９】
なお、図５においては、 これらＡ／Ｄ変換器２２、コマンダ制御部２３、信号送信部２５、特徴分析部２６、音声認識部２７、プレゼンテーション用データ入力部２８、プレゼンテーション用データ記憶部２９の符号を変えて、Ａ／Ｄ変換器４２、コマンダ制御部４３、信号送信部４５、特徴分析部４６、音声認識部４７、プレゼンテーション用データ入力部４１、プレゼンテーション用データ記憶部４８としてある。
【００９０】
そして、マイク付きコマンダ２からの音声はマイクスタンド４に対してケーブルや無線で送信できるようにする。なお、この図４の場合は接続ケーブル５によってマイク付きコマンダ２の接続端子２ｔとマイクスタンド４の接続端子４ｔを接続した例について示されている。
【００９１】
この図５に示すような構成とすることによって、図４と同様に、メモリカードなど小型の記憶媒体だけでなく、フロッピィディスクやＣＤなどマイク付きコマンダ２側には装着しにくい形状や大きさを持つ記憶媒体用のスロット部なども設けることができる。これによって、プレゼンテーション用データを記憶する記憶媒体３としてフロッピィディスクやＣＤなども使用できるので、より汎用性に優れたものとなるといった効果の他、マイク付きコマンダ２側の主な構成要素はマイクロホン２１とコマンダ操作部２４とあとは接続端子２ｔ程度で済むので、マイク付きコマンダ２の小型・軽量化が図れる。
【００９２】
なお、この図５に示すような構成としたときのマイク付きコマンダ２の使用方法やプロジェクタの動作などについては既に説明した通りであるので、ここではその説明は省略する。
【００９３】
また、この第２の実施の形態で説明したマイクスタンド４はマイク付きコマンダ２を充電するための充電器としての機能を持たせることも可能であり、その場合、充電用端子（図示せず）をマイク付きコマンダ２側とマイクスタンド４側にそれぞれ設け、両者の充電用端子が接触するようにマイク付きコマンダ２をマイクスタンド４に保持させることで、マイクスタンド４側の充電機能が働いてマイク付きコマンダ２への充電が自動的になされるようにすることもできる。
【００９４】
以上説明したようにこの第２の実施の形態は、前述した第１の実施の形態で説明した効果と同様の効果が得られる他、記憶媒体３を差し込むためのスロット部を大きくすることができるので、メモリカードなど小型の記憶媒体だけでなく、フロッピィディスクやＣＤなどマイク付きコマンダ２側には装着しにくい形状や大きさを持つ記憶媒体用のスロット部なども設けることができ、これらフロッピィディスクやＣＤなど多様な記憶媒体を使用できるので、より汎用性に優れたものとなり、また、図５のような構成とすることにより、マイク付きコマンダを小型・軽量なものとすることができる。
【００９５】
なお、本発明は以上説明した実施の形態に限定されるものではなく、本発明の要旨を逸脱しない範囲で種々変形実施可能となるものである。たとえば、前述の各実施の形態では、マイク付きコマンダ２側で音声認識する内容は、プレゼンタが発話する画面切替や画面選択など、プロジェクタ１を操作するための音声コマンドであったが、音声コマンドだけではなく、プレゼンタの説明内容をも音声認識することは可能であり、その認識結果を用いることによって、コマンダ制御部２３では、画面切替や画面選択など以外の動作制御信号を生成することも可能となる。
【００９６】
たとえば、コマンダ制御部２３が音声認識部２７からプレゼンタの説明内容の認識結果を受け取ると、現在、投影画面のどの部分についてを説明しているのかを理解し、説明している部分を色を変えて表示したり、その部分を指示するマークを表示させたりする制御を行うことも可能となる。
【００９７】
また、前述の第１および第２の実施の形態では、聴衆に説明するための音声はプロジェクタに備えられているスピーカを用いるようにしたが、プレゼンテーション会場が広く、プロジェクタ１に装備されたスピーカでは音が会場の隅々まで届きにくい場合には、たとえば、その会場に設置されているアンプやスピーカなど別に用意された音響機器を用いることもできる。
【００９８】
また、前述の第１および第２の実施の形態で説明したプレゼンテーションシステムでは、プレゼンタの発話する音声によってを遠隔制御を可能とするために、音声の入力が可能なマイク付きコマンダ２を設け、そのマイク付きコマンダ２側で音声認識し、その音声認識結果に応じた動作制御信号をプロジェクタ１側に送信して、プロジェクタ１側でそれに対応した動作制御を行うと言うように、音声によって遠隔操作を可能とした例について説明したが、音声だけでなく、従来からの操作ボタンによる遠隔操作も併用できるようにしてもよいことは勿論である。
【００９９】
つまり、マイク付きコマンダ２には、プロジェクタ２の遠隔操作が可能となるような各種の動作制御に対応した操作ボタンを設け、音声によっても動作制御可能とするとともに、操作ボタンによっても動作制御可能とする。これにより、たとえば、何らかの原因で音声による動作制御が適正に行われないような場合には、操作ボタンによる遠隔制御も可能となるので、より使い勝手に優れたものとすることができる。
【０１００】
また、前述の各実施の形態では、マイク付きコマンダ２からプロジェクタ１に対しては、無線（ワイヤレス）によって音声データや制御信号などを送るようにしたが、無線でなく、有線によっても実現できることは勿論である。この場合、プロジェクタ１にマイク付きコマンダ２を接続するコネクタなどを設けることで実現できる。
【０１０１】
また、本発明のプレゼンテーションシステムで用いられるプロジェクタは、投射表示型のプロジェクタに限られるものではなく、リア表示型プロジェクタなど画像の表示形式は問わず、幅広いプロジェクタを用いることができる。
【０１０２】
【発明の効果】
以上説明したように本発明によれば、プレゼンテーション用データをマイク付きコマンダ側で読み込んで、マイク付きコマンダ側でそのプレゼンテーション用データから投影すべき画像データや音声データを生成して出力できるようにしているので、従来のように、プロジェクタをＰＣに接続してＰＣ上で画像データや音声データを生成する操作を行う必要がなくなる。また、プロジェクタに対する画面切替など様々な操作を、音声による遠隔操作を可能としているので、円滑なプレゼンテーションが行える。
【０１０３】
また、従来のように、ワイヤレスリモコンのボタン操作によるコマンドでは、前述したように、操作ボタンがたくさんあると、どのボタンを押したらよいかを迷ったり、ボタンの押し間違いも多く、ボタン操作に気を取られるなどして、円滑なプレゼンテーションが行えないと言う問題があるが、本発明では、音声でそれらの操作が可能となるので、効率よい操作が行える。
【０１０４】
これによって、たとえば、プレゼンテーションが終了して聴衆からの質問を受けるような場合、ある特定の画面をとっさに表示する必要のある場合にも、音声によって画面の指定ができるので、ある１つの機能を行わせるために、複数のボタンを順序だてて操作するといた煩わしい操作を行う必要がなくなる。
【０１０５】
また、プレゼンテーション用データを入力してそれを保持する機能や、入力されたプレゼンテーション用データから、投影すべき画像データや出力すべき音声データを生成して出力できる機能を有するソフトウエアは、マイク付きコマンダ側に設けるようにしているので、プロジェクタは従来のプロジェクタを殆どそのまま使用することができるので、本発明のプロジェクタの遠隔操作装置を用いることで汎用性に優れたプレゼンテーションシステムとすることができる。
【図面の簡単な説明】
【図１】本発明のプロジェクタの遠隔操作装置を用いたプレゼンテーションシステムの第１の実施の形態を説明する外観的な概略構成図である。
【図２】図１で示した本発明のプロジェクタの遠隔操作装置を用いたプレゼンテーションシステムの構成を示すブロック図である。
【図３】本発明のプロジェクタの遠隔操作装置を用いたプレゼンテーションシステムの第２の実施の形態を説明する外観的な概略構成図である。
【図４】図３で示した本発明のプロジェクタの遠隔操作装置を用いたプレゼンテーションシステムの構成を示すブロック図である。
【図５】本発明のプロジェクタの遠隔操作装置を用いたプレゼンテーションシステムの第２の実施の形態の変形例を説明するブロック図である。
【符号の説明】
１  プロジェクタ
２  マイクロホン付きコマンダ（マイク付きコマンダ）
３  記憶媒体
４  マイクロホン保持台（マイクスタンド）
１ａ，４ａ  スロット部
２ｂ，４ｂ  ネットワーク接続部
２ｔ，４ｔ  接続端子
１１  設定・操作部
１２  プロジェクタ機能動作部
１３  信号受信部
１６  プロジェクタ制御部
１７  Ｄ／Ａ変換器
１８  スピーカ
２１  マイクロホン
２２，４２  Ａ／Ｄ変換器
２３，４３  コマンダ制御部
２４  コマンダ操作部
２４ａ  モード切替ボタン
２５，４５  信号送信部
２６，４６  特徴分析部
２７，４７  音声認識部
２８，４１  プレゼンテーション用データ入力部
２９，４８  プレゼンテーション用データ記憶部
【図１】
0003956708.tif 000002
【図２】
0003956708.tif 000003
【図３】
0003956708.tif 000004
【図４】
0003956708.tif 000005
【図５】
0003956708.tif 000006